(57)【要約】【課題】本発明は、生産者の負担の負担を軽減して実用化が可能な農産物の個体情報提供システムを提供することを目的とする。【解決手段】メロンの消費者や取扱い業者が、メロンの個体情報を、メロンに取付けられたラベルに記載されたホームページのアドレスにアクセスし、ラベルに記載されたＩＤ番号を入力することにより入手することを可能としたシステムであって、メロンの選果場においてメロンを移動させながら、このメロンを選果する品質情報の採取とメロンへのラベルの取付けが実行されラベルに記載されたメロンのＩＤ番号が入力されると、この入力されたＩＤ番号と、メロンを選果する際に採取した品質情報が組合わされて、メロンの個体情報が形成されることを特徴とする。この構成によれば、メロンの品質情報を生産者がメロン個々に入力する必要がなくなり、労力とコストを軽減でき、実用化を容易にできる。【選択図】      図１
2005025581.tif 000002
【特許請求の範囲】
【請求項１】
農産物の消費者や取扱い業者が、前記農産物の個体情報を、農産物に取付けられた識別体に記載されたホームページのアドレスにアクセスし、前記識別体に記載された農産物の識別情報を入力することにより入手することを可能とした農産物の個体情報の提供システムであって、
前記農産物の選果場において前記農産物を移動させながら、この農産物を選果する情報の採取と農産物への前記識別体の取付けが実行され前記農産物に取付けられた前記識別体に記載された前記農産物の識別情報が入力されると、
この入力された農産物の識別情報と、前記農産物を選果する際に採取した情報が組合わされて、前記農産物の個体情報が形成されること
を特徴とする農産物の個体情報の提供システム。
【請求項２】
前記農産物の生産者を特定する情報と前記農産物を生産した圃場を特定する情報の少なくとも一方の情報に基づいて、予め登録された前記農産物の生産履歴情報を求め、
前記農産物の選果場において前記農産物を移動させながら、前記農産物に取付けられた前記識別体より前記農産物の識別情報が入力されると、
この入力された農産物の識別情報と、前記農産物を選果する際に採取した情報に加えて、前記求めた生産履歴情報が組合わされて、前記農産物の個体情報が形成されること
を特徴とする請求項１に記載の農産物の個体情報の提供システム。
【請求項３】
前記生産履歴情報は、前記農産物の生産者を特定する情報あるいは前記圃場を特定する情報により登録された、農産物を生産した生産者の情報、圃場の情報、使用肥料の情報、使用薬剤の情報のうちの少なくとも一つの情報あるいはその組合わせの情報により形成され、
前記生産者が前記選果場に農産物を入荷するとき、前記農産物の生産者を特定する情報と前記農産物を生産した圃場を特定する情報の少なくとも一方の情報を入力することにより、前記登録された、農産物を生産した生産者の情報、圃場の情報、使用肥料の情報、使用薬剤の情報のうちの少なくとも一つの情報あるいはその組合わせの情報が求められ、求められた情報によりあるいは求められた情報の中から選択されて前記生産履歴情報が形成されること
を特徴とする請求項２に記載の農産物の個体情報の提供システム。
【発明の詳細な説明】
【０００１】
【発明の属する技術分野】
本発明は、農産物の個体情報の提供システムに関するものである。
【０００２】
【従来の技術】
近年、農産物の安全性に関する消費者の意識の高まりに伴い、個々の農産物の経歴や各種情報の提供が求められている。このような経歴・情報として、生産地や生産者の情報、圃場の情報、農産物の品種や栽培方法、使用した肥料の名称や薬剤の名称などがある。
【０００３】
上記農産物の各種情報を消費者が入手自在としたシステムとして、生産された各農産物にＩＤ番号を付し、中立機関に、前記ＩＤ番号とともに該農産物の個体情報をデータベース化された状態で記憶するコンピュータシステムを設け、消費者側に個体情報を入手するためのコンピュータより前記コンピュータシステムにアクセスしてＩＤ番号を送信することによって、このＩＤ番号により特定される農産物に関する個体情報を入手できるシステム（トレーサビリティー）が提案されている（例えば、特許文献１参照）。
【０００４】
また農産物の個体情報のデータベース化は、農産物の生産者が行っており、生産者は、各農産物にＩＤ番号が付されたシール（識別情報が記載された識別体）を貼り付けた後、当該ＩＤ番号を基にして個体情報を、個々の情報、たとえば上記生産者の情報、圃場の情報、品種の情報などを積み重ねて形成し、また選果場において得られた選果情報もその都度、追加情報として積み重ねるようにしている。
【０００５】
【特許文献１】
特許第３３５５３６６号公報
【０００６】
【発明が解決しようとする課題】
しかし、上記従来のシステムでは、農産物の個体情報の提供（データベース化）に際して次のような課題・制約があり、実用化が困難となっている。
【０００７】
１．農産物の個体情報のデータベース化が生産者、多く場合は農家の負担になっており、農産物１個毎に対応して大量のデータを作成することが労力的に困難である。
【０００８】
２．農産物の個体情報の提供は、生産者に時間に余裕があるときに行うというわけにはいかず、農産物の出荷時に合わせて行う必要である。仮に、出荷時より農産物の個体情報の提供が遅れると、消費者がコンピュータシステムにアクセスしてＩＤ番号を送信しても農産物の個体情報を得ることができず、農産物に対する信頼感を無くすことになる。
【０００９】
３．農産物の個体情報の入力を他の業者に依頼したり、農産物の個体情報を入力する人を雇用すると、このデータベース化するコストが生産者の負担となってしまい、農産物を販売した利益を確保できなくなる恐れがある。
【００１０】
また農家など個人が提供する個体情報には信頼性に疑問があるという指摘もあった。
そこで、本発明は、生産者の負担を軽減し、タイムリーなデータベースの更新ができ、実用化を容易とした農産物の個体情報の提供システムを提供することを目的としたものである。
【００１１】
【課題を解決するための手段】
前述した目的を達成するために、本発明のうち請求項１記載の発明は、農産物の消費者や取扱い業者が、前記農産物の個体情報を、農産物に取付けられた識別体に記載されたホームページのアドレスにアクセスし、前記識別体に記載された農産物の識別情報を入力することにより入手することを可能とした農産物の個体情報の提供システムであって、
前記農産物の選果場において前記農産物を移動させながら、この農産物を選果する情報の採取と農産物への前記識別体の取付けが実行され前記農産物に取付けられた前記識別体に記載された前記農産物の識別情報が入力されると、この入力された農産物の識別情報と、前記農産物を選果する際に採取した情報が組合わされて、前記農産物の個体情報が形成されることを特徴とするものである。
【００１２】
ここで、農産物は、たとえばメロンなどの果物である。多くの農産物は、生産者により選果場に入荷され、選果するための情報が採取され、選果の情報に基づいて仕分けられ、たとえば同じ等級の農産物毎に仕分けられ箱詰めされ、市場へ出荷される。また識別体は、たとえば農産物の識別情報（ＩＤ番号）とホームページのアドレスが記載されたラベルである。
【００１３】
上記構成によれば、農産物の選果場において農産物は移動されながら農産物を選果する情報（農産物の形状や糖度、あるいはこれら形状や糖度に基づく等級などの情報）の採取と農産物への識別体の取付けが実行され前記農産物に取付けられた前記識別体に記載された前記農産物の識別情報が入力されると、たとえばラベルのＩＤ番号が読取られると、この入力された農産物の識別情報と、前記農産物を選果する際に採取した情報が組合わされて、農産物の個体情報が形成される。よって農産物の個体情報の提供システムの実用化が容易となる。また前記農産物を選果する際に採取される情報は、上述したように農産物の仕分けに必要な情報であり、選果場で求められ、農産物に取付けられた前記識別体に記載された前記農産物の識別情報が入力されると、この入力された農産物の識別情報と農産物を選果する際に採取される情報が組み合わされて農産物の個体情報が形成されることから、生産者が農産物個々に、農産物を選果する際に採取される情報を個体情報として入力する必要がなくなり、生産者の労力とコストの負担が軽減される。また大量の農産物の個体情報を迅速に形成することが可能であり、さらにタイムリーな個体情報の提供が可能となり、また農産物を選果する際に採取される情報が選果場（多くの場合、農協が運営）から提供されることで農産物の個体情報の信頼性が向上する。
【００１４】
また請求項２に記載の発明は、上記請求項１に記載の発明であって、前記農産物の生産者を特定する情報と前記農産物を生産した圃場を特定する情報の少なくとも一方の情報に基づいて、予め登録された前記農産物の生産履歴情報を求め、前記農産物の選果場において前記農産物を移動させながら、前記農産物に取付けられた前記識別体より前記農産物の識別情報が入力されると、この入力された農産物の識別情報と、前記農産物を選果する際に採取した情報に加えて、前記求めた生産履歴情報が組合わされて、前記農産物の個体情報が形成されることを特徴とするものである。
【００１５】
上記構成によれば、生産履歴情報は、たとえば生産者が選果場に農産物を入荷するときに、農産物の生産者を特定する情報と圃場を特定する情報の少なくとも一方の情報を入力することにより求められ、農産物を移動させながら農産物に取付けられた識別体より前記農産物の識別情報が入力されると、たとえばラベルのＩＤ番号が読取られると、この入力された農産物の識別情報と、前記農産物を選果する際に採取した情報に加えて、求めた生産履歴情報が組合わされて、前記農産物の個体情報が形成される。前記農産物の生産履歴情報は、多くの場合、複数の農産物に共通であり、生産者より一括で選果場に提供され、選果場において農産物を選果する際に採取した情報と組合わせることにより、個体情報の形成に必要な労力を、生産者が負う必要がなくなり、またコストの負担も少なくなり、さらに情報の組合わせを支障なくスムーズに行うことが可能となり、システムとして実用化が容易となる。
【００１６】
また請求項３に記載の発明は、上記請求項２に記載の発明であって、前記生産履歴情報は、前記農産物の生産者を特定する情報あるいは前記圃場を特定する情報により登録された、農産物を生産した生産者の情報、圃場の情報、使用肥料の情報、使用薬剤の情報のうちの少なくとも一つの情報あるいはその組合わせの情報により形成され、前記生産者が前記選果場に農産物を入荷するとき、前記農産物の生産者を特定する情報と前記農産物を生産した圃場を特定する情報の少なくとも一方の情報を入力することにより、前記登録された、農産物を生産した生産者の情報、圃場の情報、使用肥料の情報、使用薬剤の情報のうちの少なくとも一つの情報あるいはその組合わせの情報が求められ、求められた情報によりあるいは求められた情報の中から選択されて前記生産履歴情報が形成されることを特徴とするものである。
【００１７】
上記構成によれば、生産者が選果場に農産物を入荷するときに、農産物の生産者を特定する情報と圃場を特定する情報の少なくとも一方の情報を入力すると、農産物を生産した生産者の情報、圃場の情報、使用肥料の情報、使用薬剤の情報のうちの少なくとも一つの情報あるいはその組合わせの情報が求められ、前記生産履歴情報が形成される。よって生産履歴情報の入力が遅れて、農産物の出荷時に個体情報の提供ができなくなる恐れが解消される。また前記求められた情報の中から選択されて生産履歴情報が形成されることにより、特に使用肥料の情報を外して選択することにより、競争している他の生産者に対して農産物の生育のノウハウの流出が避けられる。
【００１８】
【発明の実施の形態】
以下、本発明の実施の形態を図面に基づいて説明する。
図１は本発明の実施の形態における農産物の個体情報の提供システムの構成図である。
【００１９】
図１において、１は農産物の消費者あるいは取扱い業者のコンピュータ、２はコンピュータ１が接続される公衆回線、３は公衆回線２に接続され、農産物のホームページ用のデータを保管するインターネットサーバ（Ｗｅｂサーバ）であり、消費者あるいは取扱い業者は、コンピュータ１により公衆回線２を介して農産物に取付けられたラベルに記載されたインターネットサーバ３のホームページのアドレス（ＵＲＬ）にアクセスし、ラベルに記載された農産物のＩＤ番号を入力することにより、農産物の個体情報を入手できるように構成されている（詳細は後述する）。また前記インターネットサーバ３は、農産物の選果場Ａ（多くの場合、農協が運営している選果場）に設けられている。
【００２０】
また選果場Ａに、農産物の個体情報を形成し、インターネットサーバ３へ格納（ロード）する編集用サーバ（ＲＤＢサーバ）４が設けられ、この編集用サーバ４に、生産者データベース（ＤＢ）５と栽培暦データベース（ＤＢ）６と選果結果データベース（ＤＢ）８が接続されている。
【００２１】
また農産物の選果の際に採取された各農産物の品質情報を管理し、これら品質情報を選果結果データベース８へ格納する個体管理サーバ１１が設けられ、また生産者から農産物を選果場Ａへ入荷する前にファクシミリにより送付されてきた農産物の栽培管理台帳と防除日誌のデータを読取り、生産履歴情報として栽培暦データベース６へ格納する読取用コンピュータ１２が設けられている。
【００２２】
上記農産物の個体情報は、表１に示すように、農産物に取付けられるラベルのＩＤ番号（ラベルナンバー）で特定される、農産物の選果場において前記農産物を選果する際に採取した品質情報と、生産履歴情報に相当する、生産者情報、圃場情報、使用肥料情報、および使用薬剤情報とから構成されている。
【００２３】
【表１】
2005025581.tif 000003
表１に示すように、前記品質情報としては、農産物の品種コード、品種名、等級・階級（規格）、糖度、熟度、検査日、食べ頃の情報があり、前記生産者情報としては、生産者コード（生産者を特定する情報の一例）、生産者名、生産者顔写真、生産者からの一言、作っている農作物の情報があり、また前記圃場情報としては、特有の圃場番号（圃場を特定する情報の一例）、圃場の面積、株間、播種日、定植日、交配日、定植本数、太陽熱処理の有無、緑肥活用の有無の情報があり、また使用肥料情報としては、肥料コード、肥料名称、施用日、施用量、成分、特徴の情報があり、さらに使用薬剤情報としては、薬剤コード、薬剤名称、使用日、毒性、使用目的、使用量、希釈倍率、使用時期の情報がある。
【００２４】
また上記生産者データベース５には、予め生産者から提供された、生産者コード毎の生産者名、生産者顔写真、生産者からの一言、作っている農作物の情報が生産者情報として登録される。
【００２５】
前記農産物の栽培管理台帳には、生産者コードと品種コードが記載され、さらに生産者の圃場番号毎に、圃場の面積、株間、播種日、定植日、交配日、定植本数、太陽熱処理の有無、緑肥活用の有無、肥料コード、肥料名称、施用日、施用量、成分、特徴が記載されており、また前記農産物の防除日誌には、生産者コードと品種コードが記載され、さらに圃場番号毎に、薬剤コード、薬剤名称、使用日、毒性、使用目的、使用量、希釈倍率、使用時期が記載されている。
【００２６】
上記読取用コンピュータ１２は、上述したように、栽培管理台帳と防除日誌がファクシミリにより生産者より送付されてくると、これら台帳のデータを読取り、栽培暦データベース６に、生産者コード、品種コードおよび圃場番号毎に、圃場情報として「圃場の面積、株間、播種日、定植日、交配日、定植本数、太陽熱処理の有無、緑肥活用の有無」、使用肥料情報として「肥料コード、肥料名称、施用日、施用量、成分、特徴」、使用薬剤情報として「薬剤コード、薬剤名称、使用日、毒性、使用目的、使用量、希釈倍率、使用時期」を格納する。このように、農産物の生産履歴情報の圃場情報、使用肥料情報、および使用薬剤情報が、生産者より一括で選果場Ａに提供され、栽培暦データベース６に格納される。
【００２７】
図２に、農産物の個体情報を提供する農産物の選果場の要部構成図を示す。なお、農産物の一例をメロンとしている。
［入荷エリア］
選果場の入荷エリア１６には、メロンＭ入りのコンテナＣが積載されたパレットを投入する入荷用コンベヤ（デパレタイズライン）２０と、入荷の際に荷受け設定データとして、「生産者コード、圃場番号、品種コード、積付コンテナ数」のデータを個体管理サーバ１１へ生産者が入力する入力端末機２１と、入荷用コンベヤ２０上のパレットよりコンテナを１個毎に入庫用コンベヤ２２へ移載するロボット式のデパレタイザ２３と、「生産者コード、圃場番号、品種コード、積付コンテナ数、荷受け番号、荷受け年月日およびこれらを示すバーコード」からなるデータが印刷されたラベルを発行するラベラ２４が設けられている。
【００２８】
個体管理サーバ１１は、入力端末機２１より荷受け設定データを入力すると、この荷受け設定データの圃場番号により栽培暦データベース６を検索して、圃場で使用した薬剤コードを求め、この薬剤が予め設定された基準外の薬剤に相当するかどうかを判断し、基準外の薬剤ではないと判断すると、「生産者コード、圃場番号、品種コード、積付コンテナ数、荷受け番号、荷受け年月日およびこれらを示すバーコード」からなる発行データをラベラ２４へ出力して、３枚のバーコードラベルを発行させ、基準外の薬剤と判断すると、入荷を拒否する信号を入力端末機２１へ出力して、［受け取りできません。］の旨の表示を行わせる。また生産者コード、品種コードおよび圃場番号により栽培暦データベース６を検索しても該当する生産履歴情報を構成する、圃場情報、使用肥料情報、および使用薬剤情報の一つでも見当たらないとき、入荷を拒否する信号を入力端末機２１へ出力して、［受け取りできません。］の旨の表示を行わせる。
【００２９】
上記構成による入荷エリア１６の作用を説明する。
生産者により取り入れられたメロンＭはコンテナＣに入れられた状態でパレットに積載され、トラックなどの車両により選果場の農産物の入荷エリア１６へ搬入される。
【００３０】
生産者は、まず入力端末機２１により荷受け設定データとして、「生産者コード、圃場番号、品種コード、積付コンテナ数」を個体管理サーバ１１へ入力する。すると、基準外の薬剤を使用していないとき、「生産者コード、圃場番号、品種コード、積付コンテナ数、荷受け番号、荷受け年月日およびこれらを示すバーコード」からなる発行データが印刷されたバーコードラベルが３枚、ラベラ２４により発行され、生産者は、発行されたバーコードラベルの１枚を、最初のパレットからデパレタイザ２３により最初に移載される先頭のコンテナＣに貼付け、他の１枚を最後のパレットからデパレタイザ２３により最後に移載されるコンテナＣに貼付け、入荷用コンベヤ２０に投入する。なお、残りの１枚は荷受け済みの証明書として持ち帰る。
【００３１】
また基準外の薬剤を使用しており、入力端末機２１へ「受け取りできません。」の旨の表示が行われ、生産者は、この入荷拒否の表示を見ると、パレットごとコンテナＣ（メロンＭ）を持ち帰ることになる。これにより、基準外の薬剤を使用したメロンＭが出荷されることが防止される。
【００３２】
また入力端末機２１により荷受け設定データとして入力された「生産者コード、品種コードおよび圃場番号」により栽培暦データベース６を検索しても該当する生産履歴情報を構成する圃場情報、使用肥料情報、および使用薬剤情報の一つでも見当たらないとき、入荷を拒否する信号を入力端末機２１へ「受け取りできません。」の旨の表示が行われ、生産者は、この入荷拒否の表示を見ると、パレットごとコンテナＣ（メロンＭ）を持ち帰ることになる。これにより、生産履歴情報が予め登録されてなく、個体情報を提供できないメロンＭが出荷されることが防止される。
【００３３】
またデパレタイザ２３により、入荷されたパレットより順に、バーコードラベルが貼付けられた先頭のコンテナＣから、バーコードラベルが貼付けられた最後のコンテナＣまで入庫用コンベヤ２２へ移載され、一つの固まりとして自動倉庫などに保管されるか、あるいはそのまま選果エリア１７へ搬送される。
【００３４】
また一旦保管されたコンテナＣも、バーコードラベルが貼付けられた先頭のコンテナＣから順に、バーコードラベルが貼付けられた最後のコンテナＣまで一つの固まりとして選果エリア１７へ搬送される。
［選果エリア］
選果エリア１７には、コンテナＣに貼付けられたバーコードラベルよりバーコードを読取るバーコードリーダ３１と、コンテナＣから取出されたメロンＭを載せたトレイ３２（図３）を搬送する搬送コンベヤ（選果ライン）３３が設けられ、この搬送コンベヤ３３に沿って上流より、搬送されているトレイ３２上のメロンＭに対して洗浄を行う洗浄機３４と、品質を計測する品質センサ３５と、形状を計測する形状測定センサ３６と、識別体に相当するラベル（シール）３７（図３）を貼り付けるラベラ３８が設けられている。
【００３５】
前記トレイ３２は、図３（ａ）に示すように、円柱状で上部中央に、メロンＭを載せる円形の凹部３２ａが設けられており、メロンＭが落下しないように（安定するように）形成されている。また各トレイ３２には、このトレイ３２のナンバー（特定する識別符号）に相当する、その側面全周に横向きにバーが配列されたバーコード３９が設けられている。このような全周にバーコード３９が設けられていることにより、トレイ３２がどのように回転しても上下方向にスキャンすることによりバーコード３８を読み取ることができる。
【００３６】
またラベル３７には、図３（ｂ）に示すように、メロンＭの品種名と、個々に異なる特有のＩＤ番号（農産物の識別情報の一例）と、予めラベラ３８に設定された上記ホームページのアドレスと、ＩＤ番号に相当するバーコード４０が印刷される。ラベル３８は、品種名が入力されると、ラベル３７に、この品種名と、予め登録されたホームページのアドレスと、連番のＩＤ番号とこのＩＤ番号に相当するバーコードを順に印刷して、メロンＭの予め設定された位置（たとえば、上方から見やすい位置）に貼り付ける。
【００３７】
また品質センサ３５の上流にトレイ３２のバーコード３９を読取るバーコードリーダ４１が設けられ、ラベラ３８の下流に、トレイ３２のバーコード３９を読取るバーコードリーダ４２とラベル３７のバーコード４０を読取るバーコードリーダ（識別体の識別情報の読取手段）４３が設けられ、前記バーコードリーダ３１により読取られるコンテナＣのバーコードと、バーコードリーダ４１，４２に読取られるトレイ３２のバーコード３９と、バーコードリーダ４３に読取られるラベル３７のバーコード４０の検出データは個体管理サーバ１１へ入力される。
【００３８】
また上記品質センサ３５により各メロンＭ毎に、糖度、熟度などが測定され、これら測定データにより等級（秀，優，良，可など）が判定され、また形状測定センサ３６により重量、大きさ、形状が測定されて階級（２Ｌ，Ｌ，Ｍ，Ｓなど）が判定され、品質センサ３５により測定・判定された糖度、熟度、等級のデータ、形状測定センサ３６に判定された階級のデータは、個体管理サーバ１１へ入力される。
【００３９】
上記構成による選果エリア１７の作用を図４を参照しながら説明する。
まず選果を行うコンテナＣが入庫用コンベヤ２２により搬送されてくると、作業者は先頭のコンテナに取付けられたバーコードをバーコードリーダ３１により読取らせる。これにより図４に示すように、以後選果されるメロンＭ群の基礎データとして、生産者コード、圃場番号、品種コードが、個体管理サーバ１１に認識されて記憶される。また個体管理サーバ１１には、品種コードに対応する品種名が予め登録されており、個体管理サーバ１１は品種コードが入力されると品種名を検索してラベラ３８へ出力する。
【００４０】
次に作業者は、コンテナＣよりメロンＭを取出して目視検査を実行し、目視検査で良と判断したメロンＭをトレイ３２に載せて搬送コンベヤ３３へ投入する。この作業は、バーコードが取付けられた最後のコンテナＣが搬送されてきてメロンＭを投入し終わるまで続けられる。
【００４１】
搬送コンベヤ３３により搬送されるトレイ３２上のメロンＭは、洗浄機３４により洗浄され、続いてバーコードリーダ４１によりトレイ３２のバーコードが読取られ、続いて品質センサ３５により品質が測定され、形状測定センサ３６により形状が測定される。個体管理サーバ１１は、図４に示すように、バーコードリーダ４１により読取られたトレイ３２のナンバー（バーコード３９）と、品質センサ３５により測定・判定された糖度、熟度、等級のデータと、形状測定センサ３６により判定された階級のデータを対にして記憶する。
【００４２】
続いてメロンＭには、ラベラ３８により上記入力された品種名と、ＩＤ番号と、ホームページのアドレスと、バーコード４０が記載されたラベル３７が貼り付けられ、その下流で、バーコードリーダ４２によりトレイ３２のバーコード３９が読取られ、同時にバーコードリーダ４３にラベル３７のバーコード４０が読取られ、仕分けエリア１８へ搬送される。
【００４３】
個体管理サーバ１１は、図４に示すように、バーコードリーダ４２により読取られたトレイ３２のナンバー（バーコード３９）と、バーコードリーダ４３により読取られたラベル３７のＩＤ番号（バーコード４０）を対にして記憶するとともに、バーコードリーダ４３よりラベル３７のＩＤ番号（バーコード４０のデータ）が入力したことを実行条件として、メロンＭ毎に記憶した「トレイ３２のナンバー、糖度、熟度、等級、階級のデータ」の対の情報、および「トレイ３２のナンバー、ラベル３７のＩＤ番号」の対の情報から、「ラベル３７のＩＤ番号、糖度、熟度、等級、階級のデータ」のデータを求め、続いてこのメロンＭ毎のデータと、上記基礎データである「メロンの生産者コード、圃場番号、品種コード」と、上記検索した「品種名」と、選果を行った日付（検査日）から「メロンの生産者コード、圃場番号、ラベル３７のＩＤ番号、品種コード、品種名、等級、階級のデータ、糖度、熟度、検査日」からなる選果に基づくデータ（品質情報）を形成し、この品質情報を選果結果データベース８へ格納する。
【００４４】
また仕分けエリア１８へ搬送されたメロンＭは、出荷先の「メロンの規格（等級と階級）と数量からなる注文」および「選果場において得られたメロンＭの規格（等級・階級）の情報」に応じて仕分けられ、箱詰エリア１９において箱詰されて出荷先、すなわち市場へ出荷される。前記仕分けは、前記注文により出荷先へ出荷する各製品ケースへ収納するメロンＭの箱詰データ（メロンの規格と数量）が形成され、この箱詰データ毎にメロンが集められることにより行われる。
［編集用サーバ４］
上記編集用サーバ４における個体情報の形成方法について説明する。
【００４５】
上述したように、生産者データベース５には、予め生産者コード毎に、「生産者名、生産者顔写真、作っている農作物、生産者からの一言」の生産者情報が登録され、栽培暦データベース６には、生産者コード、品種コードおよび圃場番号毎に、「圃場の面積、株間、播種日、定植日、交配日、定植本数、太陽熱処理の有無、緑肥活用の有無、肥料コード、肥料名称、施用日、施用量、成分、特徴、薬剤コード、薬剤名称、使用日、毒性、使用目的、使用量、希釈倍率、使用時期」の圃場情報、使用肥料情報、および使用薬剤情報が格納され、選果結果データベース８には、ラベル３７のＩＤ番号毎に、「生産者コード、圃場番号、品種コード、品種名、等級、階級、糖度、熟度、検査日」からなる選果に基づく品質情報が格納される。
【００４６】
編集用サーバ４は、個体管理サーバ１１よりバーコードリーダ４３よりラベル３７のＩＤ番号を入力されたことを実行条件として形成された品質情報が、選果結果データベース８へ格納されると（実行条件として）、この品質情報の生産者コードにより、生産者データベース５を検索して生産者情報、すなわち「生産者名、生産者顔写真、生産者からの一言、作っている農作物」のデータを求め、続いて品質情報の生産者コード、圃場番号、および品種コードにより、栽培暦データベース６を検索して圃場情報、使用肥料情報、および使用薬剤情報、すなわち「圃場の面積、株間、播種日、定植日、交配日、定植本数、太陽熱処理の有無、緑肥活用の有無、肥料コード、肥料名称、施用日、施用量、成分、特徴、薬剤コード、薬剤名称、使用日、毒性、使用目的、使用量、希釈倍率、使用時期」を求め、ラベル３７のＩＤ番号毎に、表１に示すように、「品種コード、品種名、等級、階級、糖度、熟度、検査日、生産者コード、生産者名、生産者顔写真、生産者からの一言、作っている農作物、圃場番号、圃場の面積、株間、播種日、定植日、交配日、定植本数、太陽熱処理の有無、緑肥活用の有無、肥料コード、肥料名称、施用日、施用量、成分、特徴、薬剤コード、薬剤名称、使用日、毒性、使用目的、使用量、希釈倍率、使用時期」からなる個体情報を形成する。
【００４７】
編集用サーバ４は、品質情報が選果結果データベース８へ格納されたタイミングで、このように個体情報を形成すると、形成した個体情報を全て、あるいは中の情報を選択して、例えば使用肥料情報を外した個体情報をンターネットサーバ３へロードする。
【００４８】
また編集用サーバ４には、予め、メロンＭの一般の説明データおよび食べ頃の記載情報、使用される各肥料の説明情報、使用される各薬剤の説明情報が予め登録され、編集用サーバ４は、これら情報を全て、あるいは中の情報を選択して、例えば使用される各肥料の説明情報を外して、前記個体情報とともに、インターネットサーバ３へロードする。
【００４９】
このように、選果場Ａで、ラベル３７のバーコード（ＩＤ番号）４０がバーコードリーダ４３により読取られて個体管理サーバ１１へ入力されたことを実行条件として、図４に示すように、ラベル３７のＩＤ番号毎に、メロンＭを選果する際に採取された品質情報と、生産履歴情報を構成する生産者情報、圃場情報、使用肥料情報、および使用薬剤情報とが組み合わされてメロンＭの個体情報が形成され、メロンＭの一般の説明データおよび食べ頃の記載情報、使用される各肥料の説明情報、使用される各薬剤の説明情報とともにインターネットサーバ３へロードされる。また選択により、例えば使用肥料情報と使用される各肥料の説明情報を外した情報がインターネットサーバ３へロードされる。
［インターネットサーバ３］
インターネットサーバ３に設定されたホームページの階層図を図５に示す。
【００５０】
図５に示すように、トップページ５１から品質紹介ページ５２、品質紹介ページ５２からメロン紹介ページ５３と栽培暦ページ５４と防除暦ページ５５、栽培暦ページ５４から防除暦ページ５５と肥料説明ページ５６、防除暦ページ５５から薬剤説明ページ５７を見ることができるように構成されている。
【００５１】
トップページ５１はメロンのラベル３７に印刷されたアドレスによりインターネットサーバ３にアクセスされたときに表示される画面であり、図６（ａ）に示すように、メロンＭを買い上げて戴いたお礼の文と、メロンＭのラベル３７に印刷されたＩＤ番号（ラベル番号）を入力する欄と、検索キーが表示される。このように、メロンのラベル３７に印刷されたアドレスにアクセスするとこのトップページ５１が表示され、このトップページ５１から、メロンＭのラベル３７に印刷されたＩＤ番号（ラベル番号）を入力することにより、メロンＭの個体情報を検索ができるように構成されている。
【００５２】
ＩＤ番号が入力されて検索されたときに表示されるページが品質紹介ページ５２であり、図６（ｂ）に示すように、ラベル番号と、検索結果である、品種名、糖度、規格（等級、階級）、生産者、顔写真、生産者からの一言、作っている農作物、食べ頃と、メロンの一般的な説明（収穫時期や品種の紹介など）を掲示するメロン紹介ページ５３へリンクするキー、栽培暦ページ５４へリンクするキー、防除暦ページ５５へリンクするキーが表示される。
【００５３】
このように品質紹介ページ５２に表示される品種名、糖度、規格（等級、階級）、生産者、顔写真、生産者からの一言、作っている農作物は、ラベル番号（ＩＤ番号）により個体情報を検索した結果として表示され、また食べ頃は、品種名により検索した結果として表示される。また品質紹介ページ５２から、メロン紹介ページ５３、栽培暦ページ５４、防除暦ページ５５を表示させることができる。
【００５４】
また栽培暦ページ５４には、図７（ａ）に示すように、ラベル番号と、品種名と、生産者と、圃場の番号、圃場の播種日、定植日、交配日、太陽熱処理の有無、緑肥活用の有無、使用した肥料名と、肥料名からこの肥料を説明する肥料説明ページ５６へリンクするキー、防除暦ページ５５へリンクするキーが表示される。
【００５５】
このように栽培暦ページ５４に表示される、圃場の番号、圃場の播種日、定植日、交配日、太陽熱処理の有無、緑肥活用の有無、使用した肥料名は、ラベル番号（ＩＤ番号）により個体情報を検索して表示される。また栽培暦ページ５４から、肥料説明ページ５６と防除暦ページ５５を表示させることができる。肥料説明ページ５６には、ラベル番号により個体情報を検索して求められる、使用した肥料の施用日、施用量、成分、特徴が表示される。
【００５６】
なお、選択によりインターネットサーバ３へロードされる情報から使用肥料情報と使用される各肥料の説明情報が外されている場合、栽培暦ページ５４には使用した肥料名は表示されず、栽培暦ページ５４から、肥料説明ページ５６を表示させることはできない。
【００５７】
また防除暦ページ５５は、図７（ｂ）に示すように、ラベル番号と、品種名と、生産者と、使用した薬剤名と使用回数、薬剤名からこの薬剤を説明する薬剤説明ページ５７へリンクするキーが表示される。
【００５８】
このように防除暦ページ５５に表示される、使用した薬剤名と使用回数は、ラベル番号（ＩＤ番号）により個体情報を検索して表示される。またこの防除暦ページ５５から薬剤説明ページ５７を表示させることができる。薬剤説明ページ５７には、ラベル番号により個体情報を検索して求められる、使用した薬剤の使用日、毒性、使用目的、使用量、希釈倍率、使用時期が表示される。
【００５９】
このようなインターネットサーバ３に設定されたホームページの構成により、消費者あるいは取扱い業者は、メロンのラベル３７に表示されたホームページのアドレスにアクセスし、メロンのラベル３７に表示されたラベル番号を入力することによりこのメロンの個体情報、すなわち品質情報、生産者情報、さらに使用肥料情報（栽培暦）、使用薬剤情報（防除暦）などを確認することができる。また選択によって使用肥料情報の表示を外すことにより、競争している他の生産者に、メロンの生育のノウハウが流出してしまう恐れを回避でき、市場での優位を維持することができる。
【００６０】
以上のように本実施の形態によれば、メロンＭの選果場においてメロンＭをコンベヤ（選果ライン）３３により移動させながら、メロンＭを選果するための品質情報（メロンＭの形状や糖度、あるいはこれら形状や糖度に基づく等級などの情報）の採取とメロンＭへのラベル３７の取付けが実行されラベル３７のバーコード（ＩＤ番号）４０がバーコードリーダ４３により読取られ、個体管理サーバ１１へ入力されると、このタイミングで、ラベル３７のＩＤ番号と、メロンＭを選果する際に採取された品質情報と、メロンＭの生産者が一括して提供した生産履歴情報（生産者情報、圃場情報、使用肥料情報、および使用薬剤情報）とが組み合わされてメロンＭの個体情報が形成される。このように、選果場Ａにおいて搬送コンベヤ（選果ライン）３３でメロンＭが選果されている最中にメロンＭの個体情報が連続して大量にデータベース化されることにより、個体情報の提供システムの実用化が容易となる。なお、前記メロンＭの品質情報は、選果場ＡでメロンＭを仕分けるために必ず採取されるデータであり、このような品質情報を得る設備を個体情報提供システムのために別途設ける必要がなく、効率的である。
【００６１】
また生産者が、個体情報として重要な品質情報と生産履歴情報を、メロンＭ個々毎に入力する必要がなくなり、すなわち個体情報の形成に必要な労力を、生産者が負う必要がなくなり、生産者の労力を軽減することができる。また情報の組合わせを支障なくスムーズに行うことができる。なお、メロンＭの生産履歴情報は、多くの場合、複数のメロンＭに共通である。
【００６２】
また選果場Ａに設置された設備を使用して個体情報を形成する（データベース化する）ことにより、メロンＭの個体情報の入力を他の業者に依頼したり、農産物の個体情報を入力する人を雇用する必要がなくなることから、データベース化するコストの生産者負担を少なくでき、よってメロンＭを販売した利益を確保できなくなる恐れを解消できる。
【００６３】
また大量のメロンＭの各個体情報の提供を、迅速にタイムリーに実現でき、すなわち出荷する大量のメロンＭの個体情報の提供をメロンＭの出荷時に合わせて行うことができ、メロンＭの個体情報の提供が遅れて、消費者や取扱い業者がメロンＭの個体情報を得ることができず、信頼性が損なわれる恐れを解消できる。またメロンＭを選果する際に採取される情報が選果場Ａ（多くの場合、農協が運営）から提供されることでメロンＭの個体情報の信頼性を向上させることができる。
【００６４】
また本実施の形態によれば、生産履歴情報は、生産者が選果場ＡにメロンＭを入荷するときに圃場番号を入力することにより形成されることにより、生産履歴情報の入力が遅れて、メロンＭの出荷時に個体情報の提供ができなくなる恐れを解消することができる。
【００６５】
また本実施の形態によれば、ラベル３７は、メロンＭの選果場においてメロンＭを選果するための品質情報を採取した後にメロンＭに取付けられることにより、ラベル３７がメロンを選果するための情報を採取するときに影として認識され、品質情報に誤りが発生する恐れを回避することができる。
【００６６】
また本実施の形態によれば、ラベル３７のバーコード４０をバーコードリーダ４３により読取った後に、個体情報を形成していることにより、確実にラベル３７が取付けられたメロンＭにのみに個体情報を形成でき、ラベル３７の欠落、剥がれなどが発生したメロンＭの個体情報を形成することを防止できる。
【００６７】
なお、上記実施の形態において、農産物（実施の形態ではメロンＭ）の個々にラベル３７を取付けているが、個体情報が同一の複数の農産物が同時に販売されるとき、代表する１個の農産物にラベル３７を取付けるようにしてもよい。
【００６８】
また上記実施の形態において、識別体をラベル３７としているが、ラベルに限ることはなく、メロンＭのつるに下げるタグなどであってもよく、農産物（実施の形態ではメロンＭ）に取付けられる、識別情報（ＩＤ番号）とホームページのアドレスが記載されたものであればよい。
【００６９】
また上記実施の形態において、生産履歴情報を、生産者情報、圃場情報、使用肥料情報、および使用薬剤情報とから構成しているが、農産物を生産した生産者情報、圃場情報、使用肥料情報、使用薬剤情報のうち少なくとも一つの情報あるいはその組合わせの情報としてもよい。このように、生産履歴情報を生産者情報とするとき、入荷エリア１６において、入力端末機２１から、圃場番号なしで、「生産者コード、品種コード、積付コンテナ数」を入力すればよく、また生産履歴情報を圃場情報とするとき、入荷エリア１６において、入力端末機２１から、生産者コードなしで、「圃場番号、品種コード、積付コンテナ数」を入力すればよい。すなわち、「生産者コード」、「圃場番号」の少なくとも一方を入力すれば、生産履歴情報が求められる。
【００７０】
また上記実施の形態において、バーコードリーダ４３によりラベル３７のバーコード４０が読取られ、このバーコード４０のデータが個体管理サーバ１１へ入力されたことを実行条件として、メロンＭの個体情報の形成を開始しているが、バーコードリーダ４３を無くし、ラベラ３８より、ラベル３７を印刷するときに発行するデータ、すなわちメロンＭに付するＩＤ番号（農産物の識別情報）を個体管理サーバ１１へ出力するようにし、個体管理サーバ１１がラベラ３８よりＩＤ番号を入力したとき、個体情報の形成を開始するようにしてもよい。
【００７１】
また上記実施の形態において、インターネットサーバ３を選果場Ａ内に設置しているが、必ずしも選果場Ａに設置する必要はなく、プロバイダのサーバを使用を使用するようにしてもよく、選果場Ａに設置される編集サーバ４から個体情報をアップロードできるように接続されていればよい。
【００７２】
また上記実施の形態において、選果する農産物をメロンＭとしているが、メロンＭに限ることはなく、果物や野菜などの農産物であればよい。またメロン一種のみの選果を行っているが、複数の品種、たとえばメロンとトマトなどを同時に選果して各品種別に規格（等級と階級）を求めるようにすることもできる。
【００７３】
また上記実施の形態において、農産物（実施の形態ではメロンＭ）を直接トレイ３２に載置しているが、カゴやバケットなど他の支持体を介してトレイ３２に載せてもよく、また単数（１個のみ）のメロンＭをトレイ３２に載置しているが、複数のメロンＭを載せるようにすることも可能である。
【００７４】
また上記実施の形態において、デパレタイザ２３としてアームを使用したロボットを使用しているが、このようなロボットに限ることはなく、コンテナを１個毎に積み下ろしを行うことができるものであればよい。
【００７５】
また上記実施の形態において、トレイ３２に、トレイ３２を特定する識別符号としてその側面全周に横向きにバーが配列されたバーコード３９を設けているが、このようなバーコードに限ることはなく、縦向きにバーが配置されたバーコード（ラベル）を複数、連続して、トレイ３２の側面全周に亘って貼りつけるようにしてもよい。このように複数のバーコードを全周に貼りつけることによっても、トレイ３２が回転したときそのバーコードを読み取ることができる。
【００７６】
また上記実施の形態において、消費者あるいは取扱い業者は、メロンのラベル３７に表示されたホームページのアドレスにアクセスし、メロンのラベル３７に表示されたラベル番号を入力することによりこのメロンの個体情報を得ているが、パスワードの入力を条件とすることにより、特定の消費者あるいは取扱い業者のみがメロンの個体情報を得るようにすることも可能であり、また品質紹介ページ５２から栽培暦ページ５４あるいは防除暦ページ５５を表示させるときにパスワードの入力を条件とすることも可能である。
【００７７】
【発明の効果】
以上述べたように本発明によれば、農産物の選果場において農産物を移動させながら農産物に取付けられた識別体に記載された農産物の識別情報が入力されると、この入力された農産物の識別情報と農産物を選果する際に採取される情報が組み合わされて農産物の個体情報が形成されることにより、実用化を容易とすることができ、また生産者が農産物個々に、農産物を選果する際に採取される情報を個体情報として入力する必要がなくなり、生産者の労力とコストの負担を軽減できる。また大量の農産物の個体情報の提供を、迅速にタイムリーに行うことができ、また農産物を選果する際に採取される情報が選果場（多くの場合、農協が運営）から提供されることで農産物の個体情報の信頼性を向上することができる。
【図面の簡単な説明】
【図１】本発明の実施の形態における農産物の個体情報の提供システムの概略構成図である。
【図２】同提供システムに情報を提供する選果場のメロン流れ図である。
【図３】同提供システムのメロンの斜視図である。
【図４】同提供システムにおけるメロンの個体情報形成の説明図である。
【図５】同提供システムのホームページの階層図である。
【図６】同提供システムのホームページのトップページと品質紹介ページの画面図である。
【図７】同提供システムのホームページの栽培暦ページと薬剤暦ページの画面図である。
【符号の説明】
１    消費者のコンピュータ
２    公衆回線
３    インターネットサーバ
４    編集サーバ
５    生産者データベース
６    栽培暦データベース
８    選果結果データベース
１１  個体管理サーバ
１２  読取りコンピュータ
１６  入荷エリア
１７  選果エリア
３２  トレイ
３５  品質センサ
３６  形状測定センサ
３７  ラベル
３９，４０  バーコード
【図１】
2005025581.tif 000004
【図２】
2005025581.tif 000005
【図３】
2005025581.tif 000006
【図４】
2005025581.tif 000007
【図５】
2005025581.tif 000008
【図６】
2005025581.tif 000009
【図７】
2005025581.tif 000010